【手続補正書】
【提出日】平成15年8月8日(2003.8.8)
【手続補正１】
【補正対象書類名】明細書
【補正対象項目名】特許請求の範囲
【補正方法】変更
【補正の内容】
【特許請求の範囲】
【請求項１】
電源に接続されたＰ型ＭＯＳトランジスタによりそれぞれ所定の電圧が印加される第１及び第２の信号線と、一方の出力端子が上記第１の信号線に接続され、他方の出力端子が上記第２の信号線に接続された第１のラッチ回路と、一方の入力端子が上記第１の信号線と接続される一方、他方の入力端子が上記第２の信号線と接続され、第１及び第３のトランジスタを介して一方の入力端子から流れ込む電流をグランドに流し込むとともに、第１のトランジスタと等価の抵抗分を有する第２のトランジスタ及び第３のトランジスタを介して他方の入力端子から流れ込む電流をグランドに流し込む感知増幅回路と、上記感知増幅回路における第１及び第２のトランジスタの出力側電圧をそれぞれ基準電圧と比較し、その比較結果に対応する論理信号を第２のラッチ回路の各入力端子に転送するデータ転送手段とを備えたバッファ回路。
【請求項２】
感知増幅回路は、ソース電極が第１の信号線に接続され、ドレイン電極がデータ転送手段に接続された第１のＰ型ＭＯＳトランジスタと、ソース電極が第２の信号線に接続され、ドレイン電極が上記データ転送手段に接続された第２のＰ型ＭＯＳトランジスタと、ドレイン電極が上記第１のＰ型ＭＯＳトランジスタのドレイン電極と接続され、ゲート電極が上記第２のＰ型ＭＯＳトランジスタのゲート電極および上記第１のＰ型ＭＯＳトランジスタのドレイン電極に接続された第１のＮ型ＭＯＳトランジスタと、ドレイン電極が上記第２のＰ型ＭＯＳトランジスタのドレイン電極と接続され、ゲート電極が上記第１のＰ型ＭＯＳトランジスタのゲート電極および上記第２のＰ型ＭＯＳトランジスタのドレイン電極に接続された第２のＮ型ＭＯＳトランジスタと、ドレイン電極が上記第１及び第２のＮ型ＭＯＳトランジスタのソース電極と接続され、ソース電極がグランドと接続された第３のＮ型ＭＯＳトランジスタとから構成されたことを特徴とする請求項１記載のバッファ回路。
【請求項３】
感知増幅回路は、第１のラッチ回路の各出力端子が第１及び第２の信号線と絶縁された場合、第１及び第２のＰ型ＭＯＳトランジスタのドレイン電極に基準電圧より高い電圧を印加することを特徴とする請求項２記載のバッファ回路。
【請求項４】
データ転送手段は、第１のトランジスタの出力側電圧が基準電圧より高い場合には第２のラッチ回路の一方の入力端子をグランドと絶縁し、基準電圧より低い場合には第２のラッチ回路の一方の入力端子をグランドと接続する第１の切替回路と、第２のトランジスタの出力側電圧が基準電圧より高い場合には第２のラッチ回路の他方の入力端子をグランドと絶縁し、基準電圧より低い場合には第２のラッチ回路の他方の入力端子をグランドと接続する第２の切替回路とから構成されたことを特徴とする請求項１項記載のバッファ回路。
【請求項５】
第１及び第２の切替回路は、第１又は第２のトランジスタの出力側の論理を反転するインバータと、上記インバータが出力する論理がＬレベルのとき、第２のラッチ回路の入力端子をグランドと絶縁し、論理がＨレベルのとき、第２のラッチ回路の入力端子をグランドと接続するトランジスタとから構成され、第２のラッチ回路は、ソース電極が上記第２の切替回路のインバータの出力端子と接続され、ゲート電極がその第２の切替回路のトランジスタのドレイン電極と接続された第１のＮ型ＭＯＳトランジスタと、ソース電極が上記第１の切替回路のインバータの出力端子と接続され、ゲート電極がその第１の切替回路のトランジスタのドレイン電極と接続された第２のＮ型ＭＯＳトランジスタと、ドレイン電極が上記第１のＮ型ＭＯＳトランジスタのドレイン電極と接続され、ソース電極が電源と接続され、ゲート電極が上記第２のＮ型ＭＯＳトランジスタのドレイン電極および上記第１のＮ型ＭＯＳトランジスタのゲート電極に接続された第１のＰ型ＭＯＳトランジスタと、ドレイン電極が上記第２のＮ型ＭＯＳトランジスタのドレイン電極と接続され、ソース電極が電源と接続され、ゲート電極が上記第１のＮ型ＭＯＳトランジスタのドレイン電極および上記第２のＮ型ＭＯＳトランジスタのゲート電極に接続された第２のＰ型ＭＯＳトランジスタとから構成されたことを特徴とする請求項４記載のバッファ回路。
【請求項６】
データ転送手段は、比較結果に基づいて所定の論理演算を実行し、その演算結果に対応する論理信号を第２のラッチ回路の各入力端子に転送することを特徴とする請求項１から請求項３のうちのいずれか１項記載のバッファ回路。
【請求項７】
第１又は第２のトランジスタの出力側電圧の少なくとも一方が基準電圧より低くなると、第１及び第２のトランジスタを非導通状態に遷移させる電流遮断手段を設けたことを特徴とする請求項１から請求項６のうちのいずれか１項記載のバッファ回路。
【手続補正２】
【補正対象書類名】明細書
【補正対象項目名】００１５
【補正方法】変更
【補正の内容】
【００１５】
請求項２記載の発明に係るバッファ回路は、ソース電極が第１の信号線に接続され、ドレイン電極がデータ転送手段に接続された第１のＰ型ＭＯＳトランジスタと、ソース電極が第２の信号線に接続され、ドレイン電極がデータ転送手段に接続された第２のＰ型ＭＯＳトランジスタと、ドレイン電極が第１のＰ型ＭＯＳトランジスタのドレイン電極と接続され、ゲート電極が第２のＰ型ＭＯＳトランジスタのゲート電極および第１のＰ型ＭＯＳトランジスタのドレイン電極に接続された第１のＮ型ＭＯＳトランジスタと、ドレイン電極が第２のＰ型ＭＯＳトランジスタのドレイン電極と接続され、ゲート電極が第１のＰ型ＭＯＳトランジスタのゲート電極および第２のＰ型ＭＯＳトランジスタのドレイン電極に接続された第２のＮ型ＭＯＳトランジスタと、ドレイン電極が第１及び第２のＮ型ＭＯＳトランジスタのソース電極と接続され、ソース電極がグランドと接続された第３のＮ型ＭＯＳトランジスタとから感知増幅回路を構成したものである。


【手続補正３】
【補正対象書類名】明細書
【補正対象項目名】００１８
【補正方法】変更
【補正の内容】
【００１８】
請求項５記載の発明に係るバッファ回路は、第１又は第２のトランジスタの出力側の論理を反転するインバータと、そのインバータが出力する論理がＬレベルのとき、第２のラッチ回路の入力端子をグランドと絶縁し、論理がＨレベルのとき、第２のラッチ回路の入力端子をグランドと接続するトランジスタとから第１及び第２の切替回路を構成し、ソース電極が第２の切替回路のインバータの出力端子と接続され、ゲート電極が第２の切替回路のトランジスタのドレイン電極と接続された第１のＮ型ＭＯＳトランジスタと、ソース電極が第１の切替回路のインバータの出力端子と接続され、ゲート電極が第１の切替回路のトランジスタのドレイン電極と接続された第２のＮ型ＭＯＳトランジスタと、ドレイン電極が第１のＮ型ＭＯＳトランジスタのドレイン電極と接続され、ソース電極が電源と接続され、ゲート電極が第２のＮ型ＭＯＳトランジスタのドレイン電極および第１のＮ型ＭＯＳトランジスタのゲート電極に接続された第１のＰ型ＭＯＳトランジスタと、ドレイン電極が第２のＮ型ＭＯＳトランジスタのドレイン電極と接続され、ソース電極が電源と接続され、ゲート電極が第１のＮ型ＭＯＳトランジスタのドレイン電極および第２のＮ型ＭＯＳトランジスタのゲート電極に接続された第２のＰ型ＭＯＳトランジスタとから第２のラッチ回路を構成したものである。


【手続補正４】
【補正対象書類名】明細書
【補正対象項目名】００４５
【補正方法】変更
【補正の内容】
【００４５】
実施の形態３．
図６はこの発明の実施の形態３によるバッファ回路を示す構成図であり、図において、図１のものと同一符号は同一または相当部分を示すので説明を省略する。
７１はラッチ回路４１から転送されるデータを保持するラッチ回路（第２のラッチ回路）、７２，７３は電源、７４はソース電極がインバータ６２の出力端子と接続され、ゲート電極がＮ型ＭＯＳトランジスタ６４のドレイン電極と接続されたＮ型ＭＯＳトランジスタ（第１のＮ型ＭＯＳトランジスタ）、７５はソース電極がインバータ５８の出力端子と接続され、ゲート電極がＮ型ＭＯＳトランジスタ６０のドレイン電極と接続されたＮ型ＭＯＳトランジスタ（第２のＮ型ＭＯＳトランジスタ）、７６はドレイン電極がＮ型ＭＯＳトランジスタ７４のドレイン電極と接続され、ソース電極が電源７２と接続され、ゲート電極がＮ型ＭＯＳトランジスタ７５のドレイン電極およびＮ型ＭＯＳトランジスタ７４のゲート電極に接続されたＰ型ＭＯＳトランジスタ（第１のＰ型ＭＯＳトランジスタ）、７７はドレイン電極がＮ型ＭＯＳトランジスタ７５のドレイン電極と接続され、ソース電極が電源７３と接続され、ゲート電極がＮ型ＭＯＳトランジスタ７４のドレイン電極およびＮ型ＭＯＳトランジスタ７５のゲート電極に接続されたＰ型ＭＯＳトランジスタ（第２のＰ型ＭＯＳトランジスタ）である。


【手続補正５】
【補正対象書類名】図面
【補正対象項目名】図６
【補正方法】変更
【補正の内容】
【図６】
1998247847.tif 000001
【手続補正６】
【補正対象書類名】図面
【補正対象項目名】図７
【補正方法】変更
【補正の内容】
【図７】
1998247847.tif 000002
【手続補正７】
【補正対象書類名】図面
【補正対象項目名】図８
【補正方法】変更
【補正の内容】
【図８】
1998247847.tif 000003